【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
第１の端子と第２の端子の間に結合され、前記第１の端子と前記第２の端子の１つは、電源の入力に結合され、前記第１の端子と前記第２の端子の他方は、前記電源のエネルギー伝達要素の入力に結合されるスイッチと、
前記電源の出力レベルを表すフィードバック信号を受け取るように第３の端子に結合されて、しきい値レベルを超える出力レベルを表す第１のフィードバック状態と、前記しきい値レベルを下回る出力レベルを表す第２のフィードバック状態とを有するフィードバック状態信号が生成されるようにする調整回路であって、前記しきい値レベルを調整すること、または前記フィードバック信号を調整することの少なくともいずれかに応答して、前記フィードバック状態信号が、調整時の状態から、前記調整直前の状態に戻るようにさせる傾向がある調整を前記フィードバック状態信号に行う調整回路と、
前記スイッチに結合され、発振信号と前記フィードバック状態信号とを受け取るように結合され、前記発振信号と前記フィードバック状態信号に応答して、前記スイッチのスイッチングを制御する制御回路と
を含む電源を調整するための回路。
【請求項２】
前記調整回路は、前記電源を調整するための前記回路の状態に応答して、前記フィードバック信号を調整するように結合された変調源を含む請求項１に記載の回路。
【請求項３】
前記変調源は、前記電源を調整するための前記回路の前記状態に応答して、前記フィードバック信号を調整するように結合された電流源を含む請求項２に記載の回路。
【請求項４】
前記変調源は、前記電源を調整するための前記回路の前記状態に応答するデジタル源である請求項２に記載の回路。
【請求項５】
前記変調源は、前記電源を調整するための前記回路の前記状態に応答するアナログ源である請求項２に記載の回路。
【請求項６】
前記調整回路は、前記電源を調整するための前記回路の状態に応答して、前記しきい値レベルを調整するように結合された変調源を含む請求項１に記載の回路。
【請求項７】
前記変調源は、前記電源を調整するための前記回路の前記状態に応答して、前記しきい値レベルを調整するように結合された電流源を含む請求項６に記載の回路。
【請求項８】
前記変調源は、前記電源を調整するための前記回路の前記状態に応答するデジタル源である請求項６に記載の回路。
【請求項９】
前記変調源は、前記電源を調整するための前記回路の前記状態に応答するアナログ源である請求項６に記載の回路。
【請求項１０】
前記制御回路は、前記スイッチを流れる電流を感知するように結合された電流制限回路をさらに含み、前記スイッチを流れる前記電流に応答して、前記スイッチのスイッチングを制御する請求項１に記載の回路。
【請求項１１】
前記電流制限回路は、前記スイッチを流れる前記電流が電流制限しきい値を超えると、次のサイクルのオン時間をディセーブルにするように結合される請求項１０に記載の回路。
【請求項１２】
前記電流制限回路は、前記電源を調整するための前記回路の状態に応答して、前記電流制限しきい値を調整するように結合された電流制限しきい値調整回路を含む請求項１１に記載の回路。
【請求項１３】
前記発振信号は、第１の周波数、または第２の周波数を有するように結合され、前記第１の周波数と前記第２の周波数のいずれかは、実質的に０である請求項１に記載の回路。
【請求項１４】
バイパス出力と、そのバイパス出力に結合されたキャパシタと、前記バイパス出力と前記スイッチの間に結合された調整回路とをさらに含む請求項１に記載の回路。
【請求項１５】
前記制御回路は、前記フィードバック信号に応答して設定され、デューティ・サイクル信号に応答してリセットされる、前記スイッチのスイッチングを制御する制御信号を供給するラッチをさらに含む請求項１に記載の回路。
【請求項１６】
電力変換装置の出力レベルを調整する回路であって、
前記電力変換装置の前記出力レベルを表すフィードバック信号を受け取るように結合された入力と、
前記フィードバック信号を受け取るように結合されて、前記出力レベルがしきい値レベルを超えることを表す第１のフィードバック状態と、前記出力レベルがしきい値レベルを下回ることを表す第２のフィードバック状態とを有するフィードバック状態信号が生成されるように、前記フィードバック信号または前記しきい値レベルの少なくともいずれかを調整して、前記フィードバック状態信号を生成するように結合された調整回路であって、前記調整は、前記フィードバック状態信号が、調整時の状態から、前記調整直前の状態に戻るようにさせる傾向がある、前記調整回路と、
第１の端子と、第２の端子と、制御端子とを含み、前記制御端子において受け取られた制御信号に応答して、前記第１の端子と前記第２の端子を結合するように、または減結合するように動作可能なスイッチと、
前記制御信号を生成する制御回路とを含み、前記フィードバック状態信号は前記制御回路に受取られるよう結合され、前記制御回路はいくつかのスイッチング期間の間に前記スイッチをオフに保つことによって前記電力変換装置の出力を調整し、前記制御信号は発振信号と、前記フィードバック状態信号の前記第１および第２のフィードバック状態間の変化とに応答する回路。
【請求項１７】
前記調整回路は、前記フィードバック信号を調整するように結合された変調源を含む請求項１６に記載の回路。
【請求項１８】
前記変調源は、デジタル源である請求項１７に記載の回路。
【請求項１９】
前記変調源は、アナログ源である請求項１７に記載の回路。
【請求項２０】
前記調整回路は、前記しきい値レベルを調整するように結合された変調源を含む請求項１６に記載の回路。
【請求項２１】
前記変調源は、デジタル源である請求項２０に記載の回路。
【請求項２２】
前記変調源は、アナログ源である請求項２０に記載の回路。
【請求項２３】
前記スイッチに結合されて、前記スイッチを通る電流を電流制限しきい値より低く制限する電流制限調整回路をさらに含む請求項１６に記載の回路。
【請求項２４】
前記電流制限調整回路は、前記電流制限しきい値を調整するように結合される請求項２３に記載の回路。
【請求項２５】
前記発振信号は、第１の周波数、または第２の周波数を有するように結合され、前記第１の周波数と前記第２の周波数のいずれかは実質的に０である請求項１６に記載の回路。
【請求項２６】
バイパス出力と、前記バイパス出力に結合されたキャパシタと、前記バイパス出力と前記スイッチの間に結合された電流源とをさらに含む請求項１６に記載の回路。
【請求項２７】
前記フィードバック信号に応答して設定され、前記発振信号に応答してリセットされる、前記制御信号を供給するラッチをさらに含む請求項１６に記載の回路。
【請求項２８】
電力変換装置出力における出力レベルを調整する方法であって、
前記電力変換装置出力における前記出力レベルを表すフィードバック信号を受け取るステップと、
前記出力レベルがしきい値レベルを超えていることを表す第１のフィードバック状態と、前記出力レベルが前記しきい値レベルを下回っていることを表す第２のフィードバック状態とを有するフィードバック状態信号を生成するステップと、
前記電力変換装置の状態に応答して、前記フィードバック信号またはしきい値レベルの少なくともいずれかに、前記フィードバック状態信号が、調整時の状態から、前記調整直前の状態に戻るようにさせる調整を行うステップと、
循環するデューティ・サイクル信号を生成するステップと、
前記デューティ・サイクル信号に応答すると共に、前記第１のフィードバック状態と前記第２のフィードバック状態の間の変化に応答する制御信号に応答して、電力変換装置入力から前記電力変換装置出力へのエネルギーの流れをイネーブルにすること、またはディセーブルにするステップとを含み、
前記エネルギーの流れをディセーブルにするステップは、あるサイクルの間、パワー・スイッチをオフに保ち、かつ前記デューティ・サイクル信号の次の期間の始めに動作を再開させることを含む方法。
【請求項２９】
前記電力変換装置のパワー・スイッチを通る電流を、電流制限しきい値を下回る値に制限することをさらに含む請求項２８に記載の方法。
【請求項３０】
前記電力変換装置の前記状態に応答して、前記電流制限しきい値を調整することをさらに含む請求項２９に記載の方法。
【請求項３１】
前記調整は、前記しきい値レベルの高い値と低い値の間の差が、前記低い値の約８０パーセントになるようにする請求項１に記載の回路。
【請求項３２】
前記調整は、前記しきい値レベルの高い値と低い値の間の差が、前記低い値の約８０パーセントになるようにする請求項１６に記載の回路。
【請求項３３】
前記フィードバック状態がデジタル高値である場合、前記制御回路は前記パワー・スイッチを動作することを許され、
前記フィードバック状態がデジタル低値である場合、前記制御回路は前記パワー・スイッチを閉じることを許可されない請求項１６に記載の回路。